【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
光源手段と、偏向手段と、前記光源手段から出射した光束を前記偏向手段に導光する入射光学手段と、前記偏向手段の偏向面にて偏向された光束を被走査面上に結像させる走査光学手段と、を有する光走査装置であって、
前記入射光学手段は、主走査断面内において、前記光源手段から出射した光束を前記偏向手段の偏向面の幅よりも広い光束幅で前記偏向面に入射させており、かつ、前記入射光学手段は、副走査断面内において、前記偏向面に対して斜め方向から入射させており、
前記走査光学手段は、前記偏向手段の偏向面から順に、樹脂製の第１の結像光学素子、樹脂製の第２の結像光学素子からなり、
前記第１の結像光学素子は、副走査断面内のパワーより主走査断面内のパワーの方が大きく、かつ、主走査断面内において少なくとも１面が非円弧な形状で、かつ、主走査断面内において前記偏向手段側の面が凹のメニスカス形状より成り、
前記第２の結像光学素子は、主走査断面内のパワーより副走査断面内のパワーの方が大きく、かつ、主走査断面内において少なくとも１面が非円弧な形状より成り、
前記第１の結像光学素子の主走査断面内の焦点距離をＧ１ｍ、
前記第２の結像光学素子の主走査断面内の焦点距離をＧ２ｍ、
前記第１の結像光学素子と前記第２の結像光学素子の主走査断面内の合成焦点距離をＦθｍ、
前記第２の結像光学素子の副走査断面内の焦点距離をＧ２ｓとするとき、
０．８７＜Ｇ１ｍ／Ｆθｍ＜    ０．９７
−１２．５＜Ｇ２ｍ／Ｆθｍ＜  −５．０
−４０．２＜Ｇ２ｍ／Ｇ２ｓ＜−１７．５
なる条件を満足することを特徴とする光走査装置。
【請求項２】
前記偏向手段に入射する光束及び前記偏向手段の偏向面にて偏向される光束の双方は、前記第１の結像光学素子を通過しており、かつ、前記第１の結像光学素子の副走査断面内のパワーは、ゼロであり、かつ、前記第２の結像光学素子の副走査断面内の少なくとも１面は、軸上から軸外にかけて曲率が変化しかつ軸上のパワーが正であることを特徴とする請求項１に記載の光走査装置。
【請求項３】
前記偏向手段の偏向面に入射する光束の主光線は、該第１の結像光学素子の光軸を含む副走査断面内にあることを特徴とする請求項１又は２に記載の光走査装置。
【請求項４】
前記偏向手段の偏向面から前記被走査面までの距離をＴＣ、前記偏向手段の偏向面から前記第２の結像光学素子の入射面までの距離をＳｇ２とするとき
０．５＜Ｓｇ２／ＴＣ
なる条件を満足することを特徴とする請求項１乃至３の何れか一項に記載の光走査装置。
【請求項５】
請求項１乃至４の何れか１項に記載の光走査装置と、前記被走査面に配置された感光ドラムと、前記光走査装置で走査された光ビームによって前記感光ドラムの上に形成された静電潜像をトナー像として現像する現像器と、現像されたトナー像を被転写材に転写する転写手段と、転写されたトナー像を被転写材に定着させる定着器とを有することを特徴とする画像形成装置。
【請求項６】
請求項１乃至４の何れか１項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００２５
【補正方法】変更
【補正の内容】
【００２５】
請求項１の発明の光走査装置は、
光源手段と、偏向手段と、前記光源手段から出射した光束を前記偏向手段に導光する入射光学手段と、前記偏向手段の偏向面にて偏向された光束を被走査面上に結像させる走査光学手段と、を有する光走査装置であって、
前記入射光学手段は、主走査断面内において、前記光源手段から出射した光束を前記偏向手段の偏向面の幅よりも広い光束幅で前記偏向面に入射させており、かつ、前記入射光学手段は、副走査断面内において、前記偏向面に対して斜め方向から入射させており、
前記走査光学手段は、前記偏向手段の偏向面から順に、樹脂製の第１の結像光学素子、樹脂製の第２の結像光学素子からなり、
前記第１の結像光学素子は、副走査断面内のパワーより主走査断面内のパワーの方が大きく、かつ、主走査断面内において少なくとも１面が非円弧な形状で、かつ、主走査断面内において前記偏向手段側の面が凹のメニスカス形状より成り、
前記第２の結像光学素子は、主走査断面内のパワーより副走査断面内のパワーの方が大きく、かつ、主走査断面内において少なくとも１面が非円弧な形状より成り、
前記第１の結像光学素子の主走査断面内の焦点距離をＧ１ｍ、
前記第２の結像光学素子の主走査断面内の焦点距離をＧ２ｍ、
前記第１の結像光学素子と前記第２の結像光学素子の主走査断面内の合成焦点距離をＦθｍ、
前記第２の結像光学素子の副走査断面内の焦点距離をＧ２ｓとするとき、
０．８７＜Ｇ１ｍ／Ｆθｍ＜    ０．９７
−１２．５＜Ｇ２ｍ／Ｆθｍ＜  −５．０
−４０．２＜Ｇ２ｍ／Ｇ２ｓ＜−１７．５
なる条件を満足することを特徴としている。
【手続補正３】
【補正対象書類名】明細書
【補正対象項目名】００２６
【補正方法】変更
【補正の内容】
【００２６】
請求項２の発明は請求項１の発明において、
前記偏向手段に入射する光束及び前記偏向手段の偏向面にて偏向される光束の双方は、前記第１の結像光学素子を通過しており、かつ、前記第１の結像光学素子の副走査断面内のパワーは、ゼロであり、かつ、前記第２の結像光学素子の副走査断面内の少なくとも１面は、軸上から軸外にかけて曲率が変化しかつ軸上のパワーが正であることを特徴としている。
【手続補正４】
【補正対象書類名】明細書
【補正対象項目名】００２７
【補正方法】変更
【補正の内容】
【００２７】
請求項３の発明は請求項１又は２の発明において、
前記偏向手段の偏向面に入射する光束の主光線は、該第１の結像光学素子の光軸を含む副走査断面内にあることを特徴としている。
【手続補正５】
【補正対象書類名】明細書
【補正対象項目名】００２８
【補正方法】変更
【補正の内容】
【００２８】
請求項４の発明は請求項１乃至３のいずれか１項の発明において、
前記偏向手段の偏向面から前記被走査面までの距離をＴＣ、前記偏向手段の偏向面から前記第２の結像光学素子の入射面までの距離をＳｇ２とするとき
０．５＜Ｓｇ２／ＴＣ
なる条件を満足することを特徴としている。
【手続補正６】
【補正対象書類名】明細書
【補正対象項目名】００２９
【補正方法】変更
【補正の内容】
【００２９】
請求項５の発明の画像形成装置は請求項１乃至４の何れか１項に記載の光走査装置と、前記被走査面に配置された感光ドラムと、前記光走査装置で走査された光ビームによって前記感光ドラムの上に形成された静電潜像をトナー像として現像する現像器と、現像されたトナー像を被転写材に転写する転写手段と、転写されたトナー像を被転写材に定着させる定着器とを有すること
を特徴としている。
【手続補正７】
【補正対象書類名】明細書
【補正対象項目名】００３０
【補正方法】変更
【補正の内容】
【００３０】
請求項６の発明の画像形成装置は、
請求項１乃至４の何れか１項に記載の光走査装置と、外部機器から入力したコードデータを画像信号に変換して前記光走査装置に入力せしめるプリンタコントローラとを有していることを特徴としている。
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】削除
【補正の内容】
【手続補正１１】
【補正対象書類名】明細書
【補正対象項目名】００３４
【補正方法】削除
【補正の内容】
【手続補正１２】
【補正対象書類名】明細書
【補正対象項目名】００３５
【補正方法】削除
【補正の内容】
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】
【手続補正１６】
【補正対象書類名】明細書
【補正対象項目名】００３９
【補正方法】削除
【補正の内容】
【手続補正１７】
【補正対象書類名】明細書
【補正対象項目名】００４０
【補正方法】削除
【補正の内容】
【手続補正１８】
【補正対象書類名】明細書
【補正対象項目名】００５１
【補正方法】変更
【補正の内容】
【００５１】
６は集光機能とｆθ特性とを有する走査光学手段としてのｆθレンズ系であり、樹脂製の第１、第２の２枚の結像レンズ（結像素子）(第１の結像光学素子、第２の結像光学素子)６１，６２を有しており、ポリゴンミラー５によって反射偏向された画像情報に基づく光束を主走査断面内において被走査面としての感光ドラム面７上にスポットに結像させ、かつ副走査断面内においてポリゴンミラー５の偏向面５ａと感光ドラム面７との間を光学的に略共役関係にすることにより、倒れ補正機能を有している。
【手続補正１９】
【補正対象書類名】明細書
【補正対象項目名】００５３
【補正方法】変更
【補正の内容】
【００５３】
第１の結像レンズ６１は後述する表１に示す如く主に主走査断面内にパワーを有しており、レンズ面形状が与式の関数で表現された非球面形状より成る。また第１の結像レンズ６１は副走査断面内のパワーより主走査断面内のパワーの方が大きく、主走査断面内において少なくとも１面（本実施例では入射面及び出射面）が非円弧な形状で、ポリゴンミラー５側(偏向手段側)の面が凹のメニスカス形状より成る。また主走査断面内の形状は第１の結像レンズ６１の光軸Ｌに対して対称である。
【手続補正２０】
【補正対象書類名】明細書
【補正対象項目名】００５８
【補正方法】変更
【補正の内容】
【００５８】
また第２の結像レンズ６２の副走査断面内の入射面は曲率が極めて緩い略平面、出射面は軸上から軸外にかけて曲率が徐々に変化する凸形状より成り（即ちパワーが正であり）、光軸Ｌに対して対称な形状より成る。この第２の結像レンズ６２は入射した光束に対し主に副走査断面内の結像及び主走査断面内の若干の歪曲収差の補正を担っている。